(57)【要約】【課題】ナットの適正な締め付けを高い信頼性を持って行う。【解決手段】バッテリポストＰに外嵌される弧状の抱持部１２と、この抱持部１２の両端から径方向外向きに延出した一対の脚片１３と、を有するターミナル本体１１と、一対の脚片１３を貫通して装着されたボルト３１と、ボルト３１の軸部３２に螺合されその締め付けに伴い両脚片１３を接近させて抱持部１２を縮径させることに機能するナット３５と、ボルト３１の頭部３３の周面３４Ａ，３４Ｂに当接して同ボルト３１が連れ回りすることを阻止するために一方の脚片１３Ａに設けられた回り止め部２２と、ボルト３１の頭部３３と、回り止め部２２が設けられた一方の脚片１３Ａを挟持するクリップ４０と、が具備されたバッテリターミナル１０。【選択図】図１
2017130349.tif 000002
【特許請求の範囲】
【請求項１】
バッテリポストに外嵌される弧状の抱持部と、この抱持部の両端から径方向外向きに延出した一対の脚片と、を有するターミナル本体と、
前記一対の脚片を貫通して装着されたボルトと、
前記ボルトの軸部に螺合されその締め付けに伴い前記両脚片を接近させて前記抱持部を縮径させることに機能するナットと、
前記ボルトの頭部の周面に当接して同ボルトが連れ回りすることを阻止するために一方の前記脚片に設けられた回り止め部と、
前記ボルトの前記頭部と、前記回り止め部が設けられた前記一方の脚片を挟持するクリップと、
が具備されたバッテリターミナル。
【請求項２】
前記クリップは、前記ボルトの前記頭部と前記一方の脚片とを挟むべく間隔を開けて配された一対の挟持板と、前記両挟持板の対応する一側縁同士を繋いだ連結板とを有する門形状に形成され、
前記一方の脚片と対向する側の一方の前記挟持板には、前記ボルトの前記軸部が嵌る嵌合孔が形成され、かつ前記一方の挟持板における前記連結板が設けられた前記一側縁とは別の自由側の側縁には、前記ボルトの前記軸部を径方向に挿通可能な挿通溝が前記嵌合孔に連通した形態で形成されている請求項１に記載のバッテリターミナル。
【請求項３】
前記クリップの前記両挟持板における前記連結板並びに前記挿通溝が設けられた側縁とは別の所定の側縁の間には、開き止め板が渡されている請求項２に記載のバッテリターミナル。
【請求項４】
前記クリップにおける前記ボルトの前記頭部の表面と対向する側の他方の前記挟持板の側縁には、前記ボルトの前記頭部の周面に当接する回り止め部が形成されている請求項２に記載のバッテリターミナル。
【発明の詳細な説明】
【技術分野】
【０００１】
本明細書によって開示される技術は、バッテリターミナルに関する。
【背景技術】
【０００２】
従来のバッテリターミナルとして、特許第３６２２６１５号公報（下記特許文献１）に記載のものが知られている。このものは、バッテリポストに外嵌される弧状の締付け部と、この締付け部の弧の両端から径方向外向きに延出する一対の延出部とを備え、この一対の延出部を貫通して装着したボルトにナットを螺合して締め付けることで、両延出部を互いに接近させつつ締付け部を縮径変形させるようになっている。
ここで、ボルトについては四角形（正方形）の頭部を有する四角ボルトとする一方、延出部の側縁に頭部の一周面に当たる庇状の補強部を設け、ナットを締め付ける際にボルトが連れ回りすることを防止して、効率良く締付作業を行う手段が講じられている。
【先行技術文献】
【特許文献】
【０００３】
【特許文献１】特許第３６２２６１５号公報
【発明の概要】
【発明が解決しようとする課題】
【０００４】
上記先行技術において、ナットをレンチで締め付ける作業を行うに当たり、誤ってレンチでボルトを軸方向に叩き、ボルトの頭部を、延出部の側縁に設けられた補強部を越えるか、そうでないまでも同補強部に対する掛かり代が小さくなる位置まで押し出してしまうおそれがある。そうすると、ボルトの連れ回りを防ぐ機能が損なわれ、適正に締め付けできないことが懸念される。ナットの締め付けの適否をトルク管理で判断している場合はともかく、ナットの回転数等の締付量で管理している場合は、上記のようにナットの締め付けが不完全なままに留め置かれるおそれがある。
本明細書によって開示されるバッテリターミナルは、上記のような事情に基づいて完成されたものであって、その目的は、ナットの適正な締め付けを高い信頼性を持って行えるようにするところにある。
【課題を解決するための手段】
【０００５】
本明細書によって開示されるバッテリターミナルは、バッテリポストに外嵌される弧状の抱持部と、この抱持部の両端から径方向外向きに延出した一対の脚片と、を有するターミナル本体と、前記一対の脚片を貫通して装着されたボルトと、前記ボルトの軸部に螺合されその締め付けに伴い前記両脚片を接近させて前記抱持部を縮径させることに機能するナットと、前記ボルトの頭部の周面に当接して同ボルトが連れ回りすることを阻止するために一方の前記脚片に設けられた回り止め部と、前記ボルトの前記頭部と、前記回り止め部が設けられた前記一方の脚片を挟持するクリップと、が具備された構成である。
【０００６】
クリップでボルトの頭部と一方の脚片とを重ねて挟んだことにより、仮にボルトの軸部の先端側を叩いて頭部を一方の脚片から離間する方向に移動させる力が作用しても、クリップに当たることにより頭部の移動が阻止されて、頭部は一方の脚片に重なった状態に保持され、すなわちボルトの頭部の周面が一方の脚片に設けられた回り止め部に当接可能に対向した状態に保持される。そのため、ボルトの軸部に螺合されたナットを締め付けた際に、ボルトが連れ回りすることなくナットのみを螺進させることができ、結果、ナットの締め付けを効率良くかつ確実に行うことができる。
【０００７】
また、以下のような構成としてもよい。
前記クリップは、前記ボルトの前記頭部と前記一方の脚片とを挟むべく間隔を開けて配された一対の挟持板と、前記両挟持板の対応する一側縁同士を繋いだ連結板とを有する門形状に形成され、前記一方の脚片と対向する側の一方の前記挟持板には、前記ボルトの前記軸部が嵌る嵌合孔が形成され、かつ前記一方の挟持板における前記連結板が設けられた前記一側縁とは別の自由側の側縁には、前記ボルトの前記軸部を径方向に挿通可能な挿通溝が前記嵌合孔に連通した形態で形成されている。
クリップは、両挟持板の自由側の側縁の間に、ボルトの頭部と一方の脚片とを挟んだ状態から、一方の挟持板に形成された挿通溝に、ボルトの軸部における一方の脚片から突出した部分を径方向に挿通しつつ押し込まれ、軸部が一方の挟持板の嵌合孔に嵌ったところで、両挟持板の間にボルトの頭部と一方の脚片とが重なって挟まれた状態に保持される。クリップの装着作業が容易に行える。
【０００８】
前記クリップの前記両挟持板における前記連結板並びに前記挿通溝が設けられた側縁とは別の所定の側縁の間には、開き止め板が渡されている。
クリップの開き止めがさらに強化されることで、ボルトの頭部の移動阻止がより確実に行われる。
【０００９】
前記クリップにおける前記ボルトの前記頭部の表面と対向する側の他方の前記挟持板の側縁には、前記ボルトの前記頭部の周面に当接する回り止め部が形成されている。
ボルトの連れ回り防止の機能がより発揮される。
【発明の効果】
【００１０】
本明細書によって開示される技術によれば、ナットの適正な締め付けを高い信頼性を持って行うことができる。
【図面の簡単な説明】
【００１１】
【図１】実施形態１に係るクリップの装着前の状態を示す斜視図
【図２】同正面図
【図３】同平面図
【図４】クリップの装着後の状態を示す斜視図
【図５】同正面図
【図６】同平面図
【図７】同側面図
【図８】図６のVIII−VIII線断面図
【図９】ナットの締付前の状態の平面図
【図１０】ナットの締付完了時の平面図
【図１１】実施形態２に係るクリップの装着前の状態を示す斜視図
【図１２】同正面図
【図１３】同平面図
【図１４】クリップの装着後の状態を示す斜視図
【図１５】同正面図
【図１６】同平面図
【図１７】図１６のXVII−XVII線断面図
【図１８】実施形態３に係るクリップの装着前の状態を示す斜視図
【図１９】実施形態４に係るクリップの装着前の状態を示す斜視図
【図２０】同正面図
【図２１】同平面図
【図２２】図２０のXXII−XXII線断面図
【図２３】クリップの背面図
【図２４】クリップの装着後の状態を示す斜視図
【図２５】同正面図
【図２６】同平面図
【図２７】図２５のXXVII−XXVII線断面図
【発明を実施するための形態】
【００１２】
＜実施形態１＞
実施形態１を図１ないし図１０に基づいて説明する。
本実施形態１のバッテリターミナル１０は、図１ないし図３に示すように、バッテリポストＰ（図９参照）に取り付けられるターミナル本体１１と、ターミナル本体１１をバッテリポストＰに対して締め付けるための締結部材３０（ボルト３１とナット３５）と、クリップ４０とを備えて構成されている。
【００１３】
ターミナル本体１１は金属製であって、バッテリポストＰに外嵌される弧状の抱持部１２と、この抱持部１２の弧の両端から径方向外向きに延出した一対の脚片１３とが一体形成されているとともに、抱持部１２における脚片１３が設けられた側とは反対側の面に、電線接続部１５が張り出し形成されている。
以下、各脚片１３を区別して説明する場合は、図１の手前側に位置する一方の脚片１３を第１脚片１３Ａとし、他方の脚片１３を第２脚片１３Ｂとして説明する。
【００１４】
先に電線接続部１５を簡単に説明すると、抱持部１２の下縁に浅い箱状をなす保持部１６が連設され、図７及び図８に示すように、スタッドボルト１７の頭部１８Ｂが保持部１６内に回り止めされて収容されつつ、軸部１８Ａ（雄ねじ部）が保持部１６の上面から突出した形態で配されている。スタッドボルト１７には、電線の端末に接続された丸形端子等の端子金具（図示せず）が嵌合され、ナット（図示せず）により固定されるようになっている。
【００１５】
抱持部１２は、その内径を増減させるように径方向に弾性変位可能となっており、自由状態における内径寸法はバッテリポストＰの外径よりも少し大きく設定されている。脚片１３は方形の平板状をなし、自由状態においては両脚片１３がその延出端側を広げるように互いに斜めに対向している。
後記するように、締結部材３０により両脚片１３を互いに接近させると、抱持部１２の内径が次第に小さくなって、バッテリポストＰの外周に対して締め付けるように嵌合され、また両脚片１３が接近することに伴い、それぞれの対向面同士が次第に平行となるように姿勢を変えるようになっている。
【００１６】
締結部材３０並びにその装着部分の構造を説明する。
締結部材３０は、ボルト３１とナット３５とから構成されている。ボルト３１は四角ボルトであって、外周に雄ねじが切られた軸部３２（雄ねじ部）と、この軸部３２の一端に一体形成された四角形（正方形）の頭部３３とを備えている。ナット３５は、ボルト３１の軸部３２に螺合される六角ナットである。
上記した各脚片１３における中央部には、ボルト３１の軸部３２を貫通可能としたボルト貫通孔２０が、同一線上において対向して形成されている。
【００１７】
ボルト３１は、その軸部３２が、第１脚片１３Ａのボルト貫通孔２０に手前側から挿通され、引き続き第２脚片１３Ｂのボルト貫通孔２０を通って同第２脚片１３Ｂの向こう側に突出され、そのボルト３１の軸部３２の突出端にナット３５が螺合される。そして、ナット３５が締め込まれ、すなわち軸部３２上を頭部３３に接近するように螺進されると、ナット３５とボルト３１の頭部３３との間で挟み込まれた両脚片１３が接近するように変位し、抱持部１２が縮径変形するようになっている。
【００１８】
各脚片１３の基端部における上下両端縁には、外側に直角に張り出した形態のリブ２２が、抱持部１２の両端部の上下両端縁に亘って形成されている。上記のリブ２２は本来的には、抱持部１２と脚片１３との連結部分を補強することに機能し、これにより両脚片１３と抱持部１２の両端部とがほぼ一体に変位し得るようになっている。
ここで、第１脚片１３Ａの上下両端縁に設けられたリブ２２は、図２及び図３に示すように、ボルト３１が装着された場合において、その頭部３３における上下の周面３４Ａ，３４Ｂの奥側の端部に当接可能に対向し、頭部３３が軸線回りに回転することを規制することに機能する。以下、上記した第１脚片１３Ａの上下両端縁に設けられたリブ２２を、回り止めリブ２２Ａと称する。
【００１９】
なお、第１脚片１３Ａと第２脚片１３Ｂの各対向面には、第１脚片１３Ａでは延出端の下部位置に、第２脚片１３Ｂでは延出端の上部位置にそれぞれストッパ２４が突出形成されている。これらのストッパ２４は、両脚片１３が所定距離まで接近したところで相手の対向面に当接することにより、両脚片１３のそれ以上の接近を規制し、ひいては抱持部１２が過剰に縮径変形することを防止するようになっている。
【００２０】
さて、上記したターミナル本体１１と締結部材３０に加え、クリップ４０が備えられている。クリップ４０は合成樹脂製であって、図１及び図３に示すように、ボルト３１の頭部３３と第１脚片１３Ａとを重ねた状態で挟むことが可能な間隔を開けて配された一対の挟持板４１と、両挟持板４１の対応する一方の縦縁同士を繋いだ連結板４２と、を有する門形状に形成されている。
【００２１】
各挟持板４１はやや横長の長方形をなし、各挟持板４１には、中心よりも少し他方の縦縁（自由側の縦縁）に寄った位置に、ボルト３１の軸部３２が緊密に嵌合される嵌合孔４４が形成されている。また、挟持板４１における自由側の縦縁には、ボルト３１の軸部３２を径方向に挿通するための挿通溝４５が、嵌合孔４４に達するように横向きに切り込み形成されている。挿通溝４５は、ボルト３１の軸部３２の直径よりも少し小さい幅寸法を有しており、挿通溝４５の入口には、テーパ状の誘い込み部４６が形成されている（図２参照）。
【００２２】
なお、クリップ４０は上下対称形状に形成され、後記するようにターミナル本体１１に対して装着される際に、上下反転させたいずれの姿勢でも装着可能である。ここで説明の便宜上、装着時において図１の手前側に位置する挟持板４１を第１挟持板４１Ａ、向こう側に位置する挟持板４１を第２挟持板４１Ｂと称する。
【００２３】
本実施形態１の作用及び効果を説明する。
バッテリターミナル１０を組み立てるに当たっては、自然状態にあるターミナル本体１１の両脚片１３のボルト挿通孔２０に亘って、ボルト３１の軸部３２が図１の手前側から挿通され、頭部３３の上下の周面３４Ａ，３４Ｂの奥側（図２の右側）の端部が、第１脚片１３Ａに設けられた上下の回り止めリブ２２Ａで挟まれつつ、頭部３３が第１脚片１３Ａに当たったところで、ボルト３１の押し込みが停止される。このとき、ボルト３１の軸部３２の先端が、第２脚片１３Ｂの向こう側に所定長さ突出する。続いて、ボルト３１の軸部３２における第２脚片１３Ｂから突出した先端部にナット３５が螺合され、図３に示すように、第２脚片１３Ｂに当たるまで螺進される。これにより仮組みされた状態となる。
【００２４】
このように仮組みされたバッテリターミナル１０に対し、クリップ４０が装着される。クリップ４０は、図１ないし図３の矢線に示すように、両挟持板４１の自由側の縦縁の間に、ボルト３１の頭部３３と第１脚片１３Ａとを挟みつつ押し込まれ、途中から、第２挟持板４１Ｂの挿通溝４５に対し、ボルト３１の軸部３２における第１脚片１３Ａの裏側に突出した部分（嵌合部３２Ａ、図３参照）が、径方向に挿入されて溝幅を拡げながら押し込まれる。図８に示すように、軸部３２の嵌合部３２Ａが第２挟持板４１Ｂの嵌合孔４４に嵌ったところで押し込みが停止され、両挟持板４１の間にボルト３１の頭部３３と第１脚片１３Ａとを重ねて挟持した状態において、クリップ４０がボルト３１及び第１脚片１３Ａに対して取り付けられる。
【００２５】
上記のように組み立てられたバッテリターミナル１０は、図９に示すように、ターミナル本体１１の抱持部１２が、バッテリに立てられたバッテリポストＰに外嵌される。続いて、ボルト３１の軸部３２の先端部に螺合されたナット３５をレンチにより締め付ける。ここで、ボルト３１の頭部３３の上下の周面３４Ａ，３４Ｂが第１脚片１３Ａの上下の回り止めリブ２２Ａで挟まれていることにより、ボルト３１が連れ回りすることなくナット３５は効率良く締め付けられる。ナット３５の締め付けに伴い、ナット３５とボルト３１の頭部３３との間で挟み込まれた両脚片１３が次第に接近し、抱持部１２が縮径変形する。
【００２６】
ナット３５の締め付け作業は、例えばナット３５の回転数（回転角度）により管理され、回転数が所定に達したところでナット３５の締め付けが終了し、ここに図１０に示すように、抱持部１２が縮径変形することにより、同抱持部１２がバッテリポストＰの外周面をほぼ全周に亘って締め付けるようにして密着し、バッテリターミナル１０とバッテリポストＰとが電気的に接続される。
【００２７】
さて、ナット３５をレンチで締め付ける作業を行うに際して、誤ってレンチでボルト３１の軸部３２の先端側を軸方向に叩き、ボルト３１の頭部３３を第１脚片１３Ａに設けられた回り止めリブ２２Ａから外れるように手前側に押し出してしまう可能性がある。
しかしながら本実施形態１では、クリップ４０によりボルト３１の頭部３３と第１脚片１３Ａとを重ねて挟んだ構造を採ったから、仮にボルト３１の軸部３２の先端側を叩いて頭部３３を第１脚片１３Ａから離間する方向に移動させる力が作用しても、クリップ４０の第１挟持板４１Ａに当たることで頭部３３の移動が阻止される。言い換えると、ボルト３１の頭部３３は第１脚片１３Ａに重なった状態に保持され、すなわちボルト３１の頭部３３の上下の周面３４Ａ，３４Ｂが第１脚片１３Ａに設けられた上下の回り止めリブ２２Ａに挟まれた状態に保持される。そのため、ナット３５を締め付けた際に、ボルト３１が連れ回りすることなくナット３５のみを螺進させることができ、結果、ナット３５の締め付けを効率良くかつ確実に行うことができる。ひいては、バッテリターミナル１０とバッテリポストＰ間の電気的接続を、高い信頼性を持って図ることができる。
【００２８】
＜実施形態２＞
次に、実施形態２を図１１ないし図１７によって説明する。実施形態２のバッテリターミナル１０Ｘでは、クリップ４０Ｘの形状に変更が加えられている。以下には、実施形態１との相違点を主に説明し、実施形態１と同一機能を有する部材、部位については、同一符号を付すことで、改めての説明は省略し若しくは簡略化する。
【００２９】
実施形態２のクリップ４０Ｘは同じく合成樹脂製であって、図１１ないし図１３に示すように、実施形態１に例示したクリップ４０に対し、対をなす挟持板４１の上縁の間に開き止め板５０が差し渡されて形成された形状となっている。なお、説明の便宜上、以下では、図１１の手前側の挟持板４１を第１挟持板４１Ａ、向こう側の挟持板４１を第２挟持板４１Ｂとして説明する。
【００３０】
クリップ４０Ｘは、開き止め板５０が上側に来た姿勢において、図１１ないし図１３の矢線方向に装着され、具体的には、両挟持板４１の自由側の縦縁の間に、ボルト３１の頭部３３と第１脚片１３Ａとを挟んだ状態から、第２挟持板４１Ｂの挿通溝４５に対して、ボルト３１の軸部３２の嵌合部３２Ａが径方向に挿入されて溝幅を拡げながら押し込まれ、図１７に示すように、嵌合部３２Ａが第２挟持板４１Ｂの嵌合孔４４に嵌ったところで押し込みが停止される。同様に、図１４ないし図１６に示すように、両挟持板４１の間にボルト３１の頭部３３と第１脚片１３Ａとを重ねて挟持した状態において、クリップ４０Ｘがボルト３１及び第１脚片１３Ａに対して取り付けられる。
【００３１】
バッテリターミナル１０ＸをバッテリポストＰに接続する場合は、ターミナル本体１１の抱持部１２がバッテリポストＰに外嵌されたのち、ボルト３１の軸部３２の先端部に螺合されたナット３５がレンチで締め付けられるが、同様に、ボルト３１の頭部３３が第１脚片１３Ａの上下の回り止めリブ２２Ａで挟まれていることにより、ボルト３１が連れ回りすることなくナット３５は効率良く締め付けられる。ナット３５の締め付けに伴い、ナット３５とボルト３１の頭部３３との間で挟み込まれた両脚片１３が次第に接近して抱持部１２が縮径変形し、これにより抱持部１２がバッテリポストＰの外周面をほぼ全周に亘って締め付けるようにして密着し、バッテリターミナル１０ＸとバッテリポストＰとが電気的に接続される。
【００３２】
ナット３５の締付作業を行うに当たり、誤ってレンチでボルト３１の先端側を軸方向に叩くことに起因して、頭部３３を手前側に押し出すような力が作用したとしても、クリップ４０Ｘにおける手前側の第１挟持板４１Ａに当たることで頭部３３の移動が阻止される。特に、開き止め板５０が設けられてクリップ４０Ｘの開き止め機能が強化されているから、ボルト３１の頭部３３の移動阻止がより確実に行われる。
そのため、ボルト３１の頭部３３が第１脚片１３Ａに重なって、頭部３３の上下の周面３４Ａ，３４Ｂが第１脚片１３Ａの上下の回り止めリブ２２Ａに挟まれた状態により確実に保持され、結果、ボルト３１の連れ回りがより確実に防止されて、ナット３５の適正な締め付けを高い信頼性を持って行うことができる。
【００３３】
＜実施形態３＞
図１８は、実施形態３を示す。実施形態３は、上記実施形態２の変形例とも言うべきものである。
実施形態３のバッテリターミナル１０Ｙに適用されるクリップ４０Ｙは、実施形態２のクリップ４０Ｘと比べて、ボルト３１の軸部３２を径方向に挿通するための挿通溝４５の形成位置が相違している。すなわち、実施形態３のクリップ４０Ｙでは、挟持板４１における下縁から、挿通溝４５が嵌合孔４４に達するように上向きに切り込み形成されている。
【００３４】
クリップ４０Ｙを装着するには、図１８の矢線に示すように、両挟持板４１の下縁の間に、ボルト３１の頭部３３と第１脚片１３Ａとを挟みつつ下方に向けて押し込まれ、途中から、第２挟持板４１Ｂの挿通溝４５に対して、ボルト３１の軸部３２の嵌合部３２Ａ（図１３参照）が径方向に挿入されて溝幅を拡げながら押し込まれ、嵌合部３２Ａが第２挟持板４１Ｂの嵌合孔４４に嵌ったところで押し込みが停止される。これにより、両挟持板４１の間にボルト３１の頭部３３と第１脚片１３Ａとを重ねて挟持した状態において、クリップ４０Ｙがボルト３１及び第１脚片１３Ａに対して取り付けられる。
クリップ４０Ｙをバッテリターミナル１０Ｙの上方から装着できるようにしたから、例えばバッテリターミナル１０Ｙにおける脚片１３の手前側に、クリップの装着スペースが確保できない場合等に適用して有効である。
【００３５】
＜実施形態４＞
実施形態４を図１９ないし図２７によって説明する。実施形態４では、バッテリターミナル１０Ｚに適用されるクリップ４０Ｚの形状について、別の変更が加えられている。以下では、実施形態１のクリップ４０と同一機能を有する部位については、同一符号を付して説明を簡略化する。
クリップ４０Ｚの基本形状は、図２０ないし図２３に示すように、ボルト３１の頭部３３と第１脚片１３Ａとを重ねた状態で挟むことが可能な間隔を開けて配された一対の挟持板４１と、両挟持板４１の対応する一方の縦縁同士を繋いだ連結板４２と、を有する門形状に形成されている。
【００３６】
クリップ４０Ｚにおける図２１の向こう側に位置する第２挟持板４１Ｂには、図２３に示すように、ボルト３１の軸部３２が緊密に嵌合される嵌合孔４４が形成されているとともに、同第２挟持板４１Ｂの自由側の縦縁には、ボルト３１の軸部３２を径方向に挿通するための挿通溝４５が、嵌合孔４４に達するように横向きに切り込み形成されている。
【００３７】
一方、手前側の第１挟持板４１Ａでは、自由側の縦縁に、ボルト３１の頭部３３における奥側の周面３４Ｃと対向するべく回り止め用の縦リブ５５が、内向きに直角曲げされた形態で形成されている。同縦リブ５５の先端側の外面（ターミナル本体１１と対向する側の面）には、テーパ状のガイド面５６が形成されている。
また、第１挟持板４１Ａの上縁と下縁には、その基端側（自由側とは反対側）において、断面略Ｌ字形をなすＬ形リブ５８が突出形成されている。後記するように、クリップ４０Ｚが装着された場合には、上下のＬ形リブ５８の水平部５８Ａが、ボルト３１の頭部３３の上下の周面３４Ａ，３４Ｂにおける手前側の端部と対向するようになっている。
【００３８】
クリップ４０Ｚは、以下のようにして装着される。クリップ４０Ｚは、図１９ないし図２１に示すように、両挟持板４１の間でボルト３１の頭部３３と第１脚片１３Ａとを挟むような姿勢を採って、同図の矢線に示す方向に押し込まれる。詳細には、手前側の第１挟持板４１Ａをガイド面５６に倣って弾性的に開きながら、第２挟持板４１Ｂとの間でボルト３１の頭部３３と第１脚片１３Ａとを挟みつつ押し込まれ、途中から、第２挟持板４１Ｂの挿通溝４５に対し、ボルト３１の軸部３２の嵌合部３２Ａが、径方向に挿入されて溝幅を拡げながら押し込まれる。
【００３９】
図２７に示すように、軸部３２の嵌合部３２Ａが第２挟持板４１Ｂの嵌合孔４４に嵌ったところで押し込みが停止され、併せて第１挟持板４１Ａが復元弾力で元姿勢に復帰し、両挟持板４１の間にボルト３１の頭部３３と第１脚片１３Ａとを重ねて挟持した状態において、クリップ４０Ｚがボルト３１及び第１脚片１３Ａに対して取り付けられる。
上記の第１挟持板４１Ａが元姿勢になることに伴い、図２６及び図２７に示すように、自由側の縦縁に形成された縦リブ５５が、ボルト３１の頭部３３における奥側の周面３４Ｃに全長に亘って当接する。それとともに、図２５及び図２６に示すように、上下のＬ形リブ５８の水平部５８Ａが、ボルト３１の頭部３３の上下の周面３４Ａ，３４Ｂにおける手前側の端部に当接する。
【００４０】
上記のようにクリップ４０Ｚが装着されると、クリップ４０Ｚがボルト３１の頭部３３と第１脚片１３Ａとを重ねて挟んだ構造となるから、上記実施形態１〜３と同様に、仮にボルト３１の軸部３２の先端側を叩いて頭部３３を第１脚片１３Ａから離間する方向に移動させる力が作用しても頭部３３の移動が阻止され、すなわちボルト３１の頭部３３は第１脚片１３Ａに重なった状態に保持される。
【００４１】
このとき、ボルト３１の頭部３３の上下の周面３４Ａ，３４Ｂには、第１脚片１３Ａに設けられた上下の回り止めリブ２２Ａと、第１挟持板４１Ａに設けられた上下のＬ形リブ５８の水平部５８Ａとが当てられ、またボルト３１の頭部３３の奥側の周面３４Ｃには、第１挟持板４１Ａに設けられた縦リブ５５が当てられ、すなわち、ボルト３１の頭部３３の４周面のうちの３周面に対し、しかもそれぞれの概ね全長に亘って、いわゆる「回り止め部」が当てられる形態となり、ボルト３１の頭部３３の回り止め機能自体が向上する。
そのため、ナット３５を締め付けた際に、ボルト３１が連れ回りすることをより確実に防止することが可能となり、ナット３５の適正な締め付けを極めて高い信頼性を持って行うことができる。
【００４２】
＜他の実施形態＞
本明細書によって開示される技術は、上記記述及び図面によって説明した実施形態に限定されるものではなく、例えば次のような実施形態も含まれる。
（１）実施形態１のクリップについて、ボルトの軸部を径方向に挿通する挿通溝が挟持板の下縁に開口された形状とし、クリップを上方から装着し得る形式としてもよい。
（２）実施形態２と実施形態３のクリップにおいて、第１挟持板に設けられた嵌合孔はこれを割愛してもよい。
（３）各実施形態に例示したクリップは合成樹脂製に限らず、金属製であってもよい。
（４）ターミナル本体の両脚片を貫通してボルトが装着される部分の構造において、ボルトの貫通方向が上記実施形態とは逆方向であってもよい。
【符号の説明】
【００４３】
１０，１０Ｘ，１０Ｙ，１０Ｚ…バッテリターミナル
１１…ターミナル本体
１２…抱持部
１３…脚片
１３Ａ…第１脚片（一方の脚片）
２０…ボルト貫通孔
２２…回り止めリブ（回り止め部）
３１…ボルト
３２…軸部
３３…頭部
３４Ａ，３４Ｂ，３４Ｃ…（頭部３３の）周面
４０，４０Ｘ，４０Ｙ，４０Ｚ…クリップ
４１…挟持板
４１Ａ…第１挟持板（他方の挟持板）
４１Ｂ…第２挟持板（一方の挟持板）
４２…連結板
４４…嵌合孔
４５…挿通溝
５０…開き止め板
５５…縦リブ（回り止め部）
５８…Ｌ形リブ（回り止め部）
Ｐ…バッテリポスト
【図１】
2017130349.tif 000003
【図２】
2017130349.tif 000004
【図３】
2017130349.tif 000005
【図４】
2017130349.tif 000006
【図５】
2017130349.tif 000007
【図６】
2017130349.tif 000008
【図７】
2017130349.tif 000009
【図８】
2017130349.tif 000010
【図９】
2017130349.tif 000011
【図１０】
2017130349.tif 000012
【図１１】
2017130349.tif 000013
【図１２】
2017130349.tif 000014
【図１３】
2017130349.tif 000015
【図１４】
2017130349.tif 000016
【図１５】
2017130349.tif 000017
【図１６】
2017130349.tif 000018
【図１７】
2017130349.tif 000019
【図１８】
2017130349.tif 000020
【図１９】
2017130349.tif 000021
【図２０】
2017130349.tif 000022
【図２１】
2017130349.tif 000023
【図２２】
2017130349.tif 000024
【図２３】
2017130349.tif 000025
【図２４】
2017130349.tif 000026
【図２５】
2017130349.tif 000027
【図２６】
2017130349.tif 000028
【図２７】
2017130349.tif 000029